(57)【特許請求の範囲】
【請求項１】
透明樹脂板（１３）の表面全体に半透過層を（１４）を形成し、さらにこの半透過層（１４）の表面に、文字、目盛等の透過表示部（１５）を除いて半透過着色層（１６）を設け、上記透明樹脂板（１３）の裏面を、光源から照明される光を受け易い第１のエリア（Ａ）と、上記光を半ば受ける第２のエリア（Ｂ）と、上記光を受け難い第３のエリア（Ｃ）とに区分し、その第３のエリア（Ｃ）を除く第１のエリア（Ａ）と第２のエリア（Ｂ）については第１の調光層（１７）を施し、さらにその第１の調光層（１７）の上から、上記第１のエリア（Ａ）について、網点塗装による第２の調光層（１８）を重ねて層成し、さらに上記第１のエリア（Ａ）から第３のエリア（Ｃ）に亘って、上記第２の調光層（１８）および第１の調光層（１７）に導光板（１９）を重ね合せると共に、この導光板（１９）には、上記計器文字板の裏側に施されている第１のエリア（Ａ）と第２のエリア（Ｂ）との境界位置に対応して、輝度を低下・調整せしめるための調光手段（２０）が施されていることを特徴とする計器の文字板。
【請求項２】
上記調光手段（２０）が梨地であることを特徴とする請求項１に記載の計器の文字板。
【発明の詳細な説明】
【０００１】
【発明の属する技術分野】
本発明は、例えば自動車に設備される計器の文字板であって、特に少数の光源により半透過式文字板の全面を均一輝度で透過照明することができる計器の文字板構造に関するものである。
【０００２】
【従来の技術】
自動車の運転席前方に設備される計器の文字板を照明するための手段として、例えば図４及び図５で示すような文字板照明構造が知られており、図４で示す従来例では、計器文字板１の前方上部に光源２を配設し、この光源からの光で、文字板の前面を反射照明する文字板の直接照明手段、及び図５で示す従来例では、計器文字板１の裏側に光源２を配設すると共に計器文字板１の前方上部に導光体の反射面３を配置し、光源２からの光を上記反射面３を介して計器文字板１の前面に反射させる構造となっている。
【０００３】
【発明が解決しようとする課題】
このような計器文字板１の直接照明手段では、計器文字板１の前方に光源２又は、導光体の反射面３を配置しなければならないことから、計器の奥行寸法が大きくなり、計器の小型化が困難であると共に、計器文字板１の表面を均一輝度で照明させるには、複数個の光源又は導光体の設備が必要となり、これが原因で計器ケース内部の電気接続構造が複雑となり、組立作業性及び経済性の点で問題が生じていた。
【０００４】
また従来では、計器の小型化を目的として上記直接照明手段に加えてＥＬ方式を採用した計器文字板の照明構造が知られているが、このＥＬ方式採用の文字板にあっては、コストが高く実用性に欠けるものであり、その上耐久性（寿命）が悪いものであった。また高価なインバーターを具備させなければならない等のことでも経済性と実用性に欠けるものであった。
【０００５】
本発明は、かかる従来の欠点に着目してなされたもので、構造簡単な照明手段にて計器文字板の全面を均一照明することができると共に照明構成を簡素化して安価なる計器文字板の提供を目的とするものである。特に本発明では計器の奥行方向の寸法を小さくして、その計器の薄型化（コンパクト化）を可能ならしめるために計器文字板を、その計器文字板の裏側に配設した光源により透過照明させながらも、計器文字板の全面を均一の輝度で照明させることが可能である計器文字板を提供することにある。
【０００６】
【課題を解決するための手段】
上記目的を達成するために、本発明の請求項１では、  透明樹脂板（１３）の表面全体に半透過層を（１４）を形成し、さらにこの半透過層（１４）の表面に、文字、目盛等の透過表示部（１５）を除いて半透過着色層（１６）を設け、上記透明樹脂板（１３）の裏面を、光源から照明される光を受け易い第１のエリア（Ａ）と、上記光を半ば受ける第２のエリア（Ｂ）と、上記光を受け難い第３のエリア（Ｃ）とに区分し、その第３のエリア（Ｃ）を除く第１のエリア（Ａ）と第２のエリア（Ｂ）については第１の調光層（１７）を施し、さらにその第１の調光層（１７）の上から、上記第１のエリア（Ａ）について、網点塗装による第２の調光層（１８）を重ねて層成し、さらに上記第１のエリア（Ａ）から第３のエリア（Ｃ）に亘って、上記第２の調光層（１８）および第１の調光層（１７）に導光板（１９）を重ね合せると共に、この導光板（１９）には、上記計器文字板の裏側に施されている第１のエリア（Ａ）と第２のエリア（Ｂ）との境界位置に対応して、輝度を低下・調整せしめるための調光手段（２０）が施されている計器の文字板であることを特徴としている。
【０００７】
また、本発明の請求項２では、請求項１に記載の計器文字板において、上記調光手段（２０）を梨地にした計器の文字板であることを特徴としている。
【０００８】
【発明の実施の形態】
以下に本発明の第１実施形態を図１及び図２に基いて詳細に説明する。
【０００９】
１１は、透過照明される計器の文字板であって、この文字板１１は、その文字板１１の裏側で設備されている光源１２から光を受けてその文字板全体が均一に輝度に照明される（透過照明される）ように構成されている。つまりこの文字板１１の構成は、図２で示すように、文字板１１の基板である透明樹脂板１３の表面全体には、半透過性を有する例えば白色塗料による半透過層１４が施されている。
【００１０】
この半透過層１４の表面には、文字板を形成するための文字、目盛等の透過表示部１５を除く他の部分に、例えばブルー色からなる半透過着色層１６を層成する。
【００１１】
また上記透明樹脂板１３の裏面には、例えばブルー色である半透過塗料による第１の調光層１７が例えば印刷手段等により層成しているが、この第１の調光層の形成については次の如き特長を有する。つまり文字板１１の透過照明手段である光源１２は、少数個の光源により文字板を透過照明させるため、１個の光源が受けもつ文字板の照明範囲は広く、文字板１１の裏面で受ける光源１２からの受光量は、その光源１２に近い部分と遠い部分では照明強度に大差があって、文字板１１において、透過照明時の輝度むらが生じる。
【００１２】
そこで本実施形態にあっては、文字板１１裏面における光源１２からの受光量の比較的強い部分を第１のエリア（Ａ）とし、また受光量が普通である部分を第２のエリア（Ｂ）とし、また受光量が比較的弱い部分を第３のエリア（Ｃ）と仮定する。なお、これらのエリアの形態（形状）は、文字板の裏側に配設されている計器ムーブメント、あるいはワーニングランプの遮光壁等の遮光性器具による遮光状況を鑑み異形に設定されることは勿論のことである。
【００１３】
そして、上記第１の調光層１７は、第３のエリア（Ｃ）を除く第１及び第２のエリア（Ａ），（Ｂ）について半透過塗料を用いて層成するが、上記第２のエリア（Ｂ）の第３のエリア（Ｃ）に近い部分については、例えば光の強度に応じ、光の透過量を変える網点印刷手段等により透過光量を増大させる調光層として、第２のエリア（Ｂ）と第３のエリア（Ｃ）の境部において、輝度むらが生じないように工夫してもよい。また、前記調光層は第２のエリアと第３のエリアの境部に限定されるものではなく、第２の範囲全体にわたり網点印刷を施し調光をしてもよい。
【００１４】
上記第１の調光層１７を層成した後、その第１の調光層１７の裏面における第１のエリア（Ａ）に、例えば第１の調光層と同様なブルー色である網点印刷による第２の調光層１８を層成する。
【００１５】
このように文字板１１の裏面における受光量の多いエリア及び少ないエリアを定めて、それらのエリアの中で最も受光量の多いエリアについては、第１の調光層１７と第２の調光層による二重の調光層を施し、又受光量の最も少ないエリアについては、いずれの調光層をも施さないようにしたことにより、光源からの光で透過照明される文字板１１の全面輝度を略均一とさせることができる。
【００１６】
図３で示す本発明の他の実施形態は、上記第１の実施形態で説明した構成と同一の文字板１１の裏面に、光源１２からの光を、文字板１１の裏面に向けて導光する導光板１９を重ね使用するとき、その導光板１９における上記第１のエリア（Ａ）と第２のエリア（Ｂ）との境界部（Ｄ）位置に対応して、例えば梨地等による調光手段２０を形成したものである。
【００１７】
従って、この調光手段２０を設けた導光板１９を文字板１１の裏面で重ね使用することにより、第１のエリア（Ａ）と第２のエリア（Ｂ）との境界部における文字板１１の透過輝度むらを有効に解消することができる。
【００１８】
【発明の効果】
上述の通り、請求項１、２に記載の計器の文字板によれば、極く少数の光源であって
も、文字板の透過照明を、その文字板の全面に亘って均一輝度とすることができ、従って比較的安価である白熱灯の最少数使用で文字板全面の均一透過照明が可能となることから、安価で経済性に優れた計器の提供と、さらには光源設置スペースを小さくしてコンパクト化が可能である計器を提供することができる。
【図面の簡単な説明】
【図１】本発明よりなる計器文字板の実施形態を示した正面説明図。
【図２】本発明よりなる計器文字板の実施形態を示した要部拡大断面図。
【図３】本発明の他の実施形態を示した要部拡大断面図。
【図４】従来の計器文字板を具備せしめた計器の概略断面図。
【図５】従来の計器文字板を具備せしめた他の計器の概略断面図。
【符号の説明】
１１…文字板                １２…光源
１３…透明樹脂板            １４…半透過層
１５…透過表示部            １６…半透過着色層
１７…第１の調光層          １８…第２の調光層
１９…導光板                ２０…調光手段
【図１】
0003775910.tif 000002
【図２】
0003775910.tif 000003
【図３】
0003775910.tif 000004
【図４】
0003775910.tif 000005
【図５】
0003775910.tif 000006